(57)【要約】      （修正有）【課題】自然界の植物細胞壁粒子粉末および小麦粉、米ぬかを製造し、それを利用して、人間の排便を炭素化、又はミイラ化物質にする持続可能環境に貢献する技術の提供。【解決手段】自然界の樹木と草木の植物細胞壁粒子粉末を水分を１８％以下にして、１０メッシから６０メッシに篩分けして植物細胞壁粒子粉末を製造し、植物細胞壁粒子粉末または、小麦粉を介して、人間の排便を炭素化と乾燥ミイラ化する方法。【選択図】なし【特許請求の範囲】
【請求項１】
植物細胞壁粒子粉末または、小麦粉を介して、人間の排便を炭素化と乾燥ミライ化し、持続可能自然資源製造方法。
【請求項２】
植物細胞壁粒子粉末は食品で、炭水化物、セルロース、ヘミセルロース、リグニン結合物質、３大栄養素たんぱく質、脂質、炭水化物で、炭水化物は、糖質、繊維質に分類し、繊維の素と多糖類は、セルロース、ヘミセルロース、リグニン結合で出来ている、植物細胞壁粒子粉末を、水分を１８％以下に乾燥し、篩で１００メッシ以下の粉末製造方法。
【請求項３】
主たる植物細胞壁粒子粉末は食品成分検査で、１００ｇ、水分１２．８％、タンパク質０．９％、脂質０．８％  、多糖類３８．１％、  繊維質４２．９％、  灰分４．９．５％、  人が食べても安全食品である。
【請求項４】
植物細胞壁結合粒子の原料として、スギ材、ヒノキ材、アブラヤシ材、ココヤシ材、竹材、クヌギ材、ナラ材、桐材、桑の木、松材、クリ材及び雑木材、木材加工で廃棄される木質の植物細胞壁結合粒子に精製して、請求項２記載の植物細胞壁結合粒子粉末製造方法。
【請求項５】
人間の、排便、尿を分離して、植物細胞壁結合粒子粉末を排便下の容器に植物細胞壁粒子粉末又は小麦粉の上に排便を落とし回収する、請求項２，３記載の人間の排便を炭素化と乾燥ミイラ化し持続可能資源，製造方法。
【請求項６】
人間の排便、尿を分離して回収して、尿を沸騰して殺菌し、台所雑水管、洗面排水管、風呂水配管に流す、請求項２，３記載の持続可能自然資源製造方法
【請求項７】
人間の尿の資源化として、尿を回収して沸騰殺菌して尿素を燃料に活用、汚れ落とし洗剤、請求項６に記載の人間の尿の処理技術の提供。
【請求項８】
家庭内、幼児施設、幼稚園、小学校、中学校、高等学校、大学、警察施設、消防施設、海上施設、自衛隊施設、スポーツ競技施設、神社、寺院等、公共施設、請求項２，３，４，５に記載の人間の排便を炭素化と乾燥ミイラ化持続可能自然資源製造方法。
【請求項９】
建築ビル内、生産工場内、自動車内、電車内、船舶内、飛行機内、建築工事現場内等の内部にて、請求項２，３，４に記載の人間の排便を炭素化と乾燥ミイラ化持続可能自然資源製造方法。
【請求項１０】
人間の排便を便器の中で植物細胞結合粉末を自動機器で混合し、請求項２，３項目に記載の人間の排便乾燥物体製造方法。
【請求項１１】
人間の排便炭素化と乾燥ミイラ化物質からＤＮＡを作成して体全体の危険因子と新生物の解明。
【請求項１２】
人間の  排便の炭素化と乾燥ミイラ化物質から医薬品、創薬、肥料、飼料、食品、請求項４記載の製造方法。
【請求項１３】
宇宙産業にて構築された、宇宙基地建築内部にて人間の排便処理、請求項４に記載の人間排便炭素化と乾燥ミイラ化物質の製造と、その物質を利用して、野菜栽培技術の提供。
【請求項１４】
再生資源としてコメの生産から出る、もみ殻、米糠、及び、小麦粉、請求項４に記載の人間排便の炭素化と乾燥ミイラ化物質製造方法。
【請求項１５】
乳児、幼児、児童、成人、老人の排便を観察検体検査、健康管理により、予防医学、健康被害を未然に防ぐ、請求項２，３，５、に記載のヒトの排便ミライ化物質技術方法
【請求項１６】
電車内に、排便トイレ場所を設置して、高齢、及び幼児、乗客が安心して行動ができる排便、排尿の処理技術の提供。
【請求項１７】
航空機内に、排便、尿を分離して、回収し再資源に製造し持続可能資源の提供。
【請求項１８】
尿、唾液、血液、汗等の検体に植物細胞壁粉末に吸着させ自然乾燥又は凍結させてＤＮＡを作成して危険因子、新生生物の検体解明作成。
【請求項１９】
人間の排泄物は、人が食べた栄養素の最終残渣物で、タンパク質、脂質、炭水化物、無機質、ビタミン、脂肪酸、食物繊維、ＤＢＡを作成、医学的活用て再生医療創薬の製造。
【発明の詳細な説明】
【技術分野】
【０００１】  本発明は、主として熱帯雨林に生息及び植栽倍されている、アブラヤシ、ココヤシ幹から植物細胞壁結合粒子粉末を得る方法、及びそれを有用に活用した人間の便と尿を分離して、炭素化と、ミイラ化物質資源に関する。
【背景技術】
【０００２】  熱帯雨林に生息及び植栽培されているアブラヤシ、ココヤシは、およそ北緯１０度から南緯１０度にて栽培され、インドネシア、マレーシア、タイ国他現在４５か国で植栽されている。【０００３】  アブラヤシからは食用油、ココヤシから食用油、ココナツミルク及び飲料が世界に流通している。【０００４】  特にアブラヤシは２５年過ぎると老幹にて倒されて未利用資源として、有効活用が期待されているが、開発が十分ではない、【０００５】日本国内に生息、植栽されている杉、ヒノキ、松等の原木及び間伐の十分な資源の活用がなされていない、【０００６】  このように資源の活用が期待できる植物細胞壁粒子粉末を用いて、ヒトの排便を、炭素化、ミイラ化物質に変換して、持続可能資源として再資源する。【０００７】  化石資源は有限資源にともない、自然資源とりわけ、植物樹木資源の開発が急務になっている、【０００８】そこで、日本の北海道から九州、島等に生息、又は植栽された樹木、雑木等から植物細胞壁粒子粉末を生産して、新たな経済効果と環境破壊の防止に貢献いたします。
【先行技術文献】
【特許文献】
【０００９】
【特許文献１】特許第４０５４６６０号
【特許文献２】特許第３９６９９１３号
【非特許文献】
【００１０】
【非特許文献１】特開  ２０１６−１６６７７１０号
【非特許文献２】特開  ２０１８−０００１７７７号
【発明概要】
【発明が解決しようとする課題】
【００１１】  本発明は、更なる最大の先端技術を駆使して、人間の排便、尿を分離して処理し、排便は、植物細胞壁粒子粉末を用いて処理し、尿は海面活性剤で処理する、
【００１２】そこで、資源の無駄を解決するため、人間の排便を先端技術を用いて水で流すのではなく、回収して再資源、健康管理に役に立つ物体にすることにより地球環境に貢献できる。
【００１３】人間の排便、尿は毎日出るため、解決に困難をきたしてきたが。
【００１４】時代を振り返り様々の時代にて排便、尿の取り扱えを研究して考えに及び自然と自然を組み合わせ又自然の気候、気温に対応できることが解決の課題であった。
【００１５】そこで、人間のミライに気を配り、人間がミイラ化問題は内臓と分泌物及び排泄物体である。
【００１６】人間の内臓から産生される、唾液、インスリン、胆汁酸等は水分でなく、人間の排便にも含まれていると考えた。
【００１７】そうであるならば、人間の排便も水分ではなく、臭いは蒸発するが、排便の水分と思われるものは、ひとの生活の分泌液体で蒸発しないことが判明した。
【００１８】いわゆる、排便はそのままでも自然に炭素化ミイラ化になることが判明した、、排便、尿は空気に触れると強烈な臭いを嗅ぐことが問題であつた。
【００１９】  空気は窒素８割、酸素２割が主体、人間の排便、尿は揮発性がある、人間の排便直後に、植物細胞壁粒子粉末をふりかければ、植物細胞壁粒子粉末が瞬時吸着して、強烈な臭いを遮断することを解明した。
【００２０】ここで、人間の排便、尿は、取り扱いが簡単に処理が出来る。
【課題を解決するため手段】
【００２１】森林、里山から切り出して、製材工場に運搬して、樹皮を除去して、まるた、角材、板材に加工成形し、次いで、破砕、粉砕、剥離、削るか、圧搾成形材の乾燥室における熱風乾燥及び凍結乾燥、気温１５度から４０度程度の環境下における乾燥でもよい。
【００２２】形成された樹木は、大鋸屑状にし、次に微粉末に精製して、自然乾燥、熱風乾燥で水分６％から１８％に乾燥して植物細胞壁粒子粉末を製造方法。
【００２３】植物細胞壁粒子粉末を，篩にて１０から６０メッシュ程度行ってもよい。
【発明の効果】
【００２４】人間の排便、尿を水で流すのが当たり前の考えを、再資源を構築する先端技術の活用により、生活の様式が変わる。
【００２５】人間の排便、尿を回収して、ひとが健康維持に関係して排便からの健康状態が解明することの効果が期待できる。
【発明を実施するための形態】
【００２６】
【実施例】
【００２７】  以下に本発明の実施形態を説明する。
家庭内のトイレ室に設置されてある、水洗便器に、直径２５ｃｍの陶器皿状に植物細胞壁粒子粉末又は小麦粉大人の手で一掴み程度皿に撒きそこに排便させ、排便終わりと同時に、又植物細胞壁粒子粉末又は小麦粉をふりかけて回収する。【００２８】人間の排便はさまざまで大人で２５ｇｇから１５０ｇ程度の排便である【００２９】尿は排便の時は混合しない工夫して、
水洗トイレに直径２５ｃｍの陶器皿に食物細胞壁粒子粉末又は小麦粉５０ｇを皿に散布して排便約１３０ｇを回収して、放置して、炭素化、ミイラ化した物質ができた。【００３０】  人間が食べ物を食べてからの消化器官通過時間は約５５時間で排便が健康状態が良いことがわかりました
【産業上の利用可能性】
【００３１】  排便、尿を回収してＤＮＡ医学検体検査にて健康状態が認識出来る。【００３２】  尿を排便と分離して回収ＤＮＡを作成【００３３】  人間の尿は尿素であり洗剤、尿素を補助燃料として活用できる。